(57)【特許請求の範囲】
【請求項１】
交流電源からの交流電圧を整流することにより得られた直流電圧を昇圧する昇圧チョッパ回路と、
前記昇圧チョッパ回路により昇圧された直流電圧を降圧し、降圧した直流電圧により光源を点灯させるバックコンバータ回路と、
前記昇圧チョッパ回路または前記バックコンバータ回路の異常電圧または異常電流を検出した際に、前記昇圧チョッパ回路と前記バックコンバータ回路とを予め設定された順番で停止させる制御装置と、
を備え、
前記制御装置は、前記昇圧チョッパ回路の異常電圧または異常電流を検出した際に前記昇圧チョッパ回路を停止させた後に異常判定を行い、正常と判定された場合に前記昇圧チョッパ回路を駆動した後に異常判定を行い、正常と判定された場合に前記昇圧チョッパ回路の駆動を維持する点灯装置。
【請求項２】
交流電源からの交流電圧を整流することにより得られた直流電圧を昇圧する昇圧チョッパ回路と、
前記昇圧チョッパ回路により昇圧された直流電圧を降圧し、降圧した直流電圧により光源を点灯させるバックコンバータ回路と、
前記昇圧チョッパ回路または前記バックコンバータ回路の異常電圧または異常電流を検出した際に、前記昇圧チョッパ回路と前記バックコンバータ回路とを予め設定された順番で停止させる制御装置と、
を備え、
前記制御装置は、前記昇圧チョッパ回路の異常電圧または異常電流を検出した際に前記昇圧チョッパ回路を停止させた後に異常判定を行い、正常と判定された場合に前記昇圧チョッパ回路を駆動した後に異常判定を行い、異常と判定された場合に前記昇圧チョッパ回路と前記バックコンバータ回路とを停止させる点灯装置。
【請求項３】
交流電源からの交流電圧を整流することにより得られた直流電圧を昇圧する昇圧チョッパ回路と、
前記昇圧チョッパ回路により昇圧された直流電圧を降圧し、降圧した直流電圧により光源を点灯させるバックコンバータ回路と、
前記昇圧チョッパ回路または前記バックコンバータ回路の異常電圧または異常電流を検出した際に、前記昇圧チョッパ回路と前記バックコンバータ回路とを予め設定された順番で停止させる制御装置と、
を備え、
前記制御装置は、前記昇圧チョッパ回路の異常電圧または異常電流を検出した際に前記昇圧チョッパ回路を停止させた後に異常判定を行い、正常と判定された場合に前記昇圧チョッパ回路を駆動した後に異常判定を行い、異常と判定された場合に前記昇圧チョッパ回路と前記バックコンバータ回路とを保護動作させる点灯装置。
【請求項４】
交流電源からの交流電圧を整流することにより得られた直流電圧を昇圧する昇圧チョッパ回路と、
前記昇圧チョッパ回路により昇圧された直流電圧を降圧し、降圧した直流電圧により光源を点灯させるバックコンバータ回路と、
前記昇圧チョッパ回路または前記バックコンバータ回路の異常電圧または異常電流を検出した際に、前記昇圧チョッパ回路と前記バックコンバータ回路とを予め設定された順番で停止させる制御装置と、
を備え、
前記制御装置は、前記昇圧チョッパ回路の異常電圧または異常電流を検出した際に前記昇圧チョッパ回路を停止させた後に異常判定を行い、異常と判定された場合に前記バックコンバータ回路を停止させる点灯装置。
【請求項５】
交流電源からの交流電圧を整流することにより得られた直流電圧を昇圧する昇圧チョッパ回路と、
前記昇圧チョッパ回路により昇圧された直流電圧を降圧し、降圧した直流電圧により光源を点灯させるバックコンバータ回路と、
前記昇圧チョッパ回路または前記バックコンバータ回路の異常電圧または異常電流を検出した際に、前記昇圧チョッパ回路と前記バックコンバータ回路とを予め設定された順番で停止させる制御装置と、
を備え、
前記制御装置は、前記バックコンバータ回路の異常電圧または異常電流を検出した場合に前記昇圧チョッパ回路を停止させた後に異常判定を行い、正常と判定された場合に前記昇圧チョッパ回路を駆動した後に異常判定を行い、正常と判定された場合に前記昇圧チョッパ回路の駆動を維持する点灯装置。
【請求項６】
交流電源からの交流電圧を整流することにより得られた直流電圧を昇圧する昇圧チョッパ回路と、
前記昇圧チョッパ回路により昇圧された直流電圧を降圧し、降圧した直流電圧により光源を点灯させるバックコンバータ回路と、
前記昇圧チョッパ回路または前記バックコンバータ回路の異常電圧または異常電流を検出した際に、前記昇圧チョッパ回路と前記バックコンバータ回路とを予め設定された順番で停止させる制御装置と、
を備え、
前記制御装置は、前記バックコンバータ回路の異常電圧または異常電流を検出した際に前記昇圧チョッパ回路を停止させた後に異常判定を行い、正常と判定された場合に前記バックコンバータ回路を駆動した後に異常判定を行い、異常と判定された場合に前記昇圧チョッパ回路と前記バックコンバータ回路とを停止させる点灯装置。
【請求項７】
交流電源からの交流電圧を整流することにより得られた直流電圧を昇圧する昇圧チョッパ回路と、
前記昇圧チョッパ回路により昇圧された直流電圧を降圧し、降圧した直流電圧により光源を点灯させるバックコンバータ回路と、
前記昇圧チョッパ回路または前記バックコンバータ回路の異常電圧または異常電流を検出した際に、前記昇圧チョッパ回路と前記バックコンバータ回路とを予め設定された順番で停止させる制御装置と、
を備え、
前記制御装置は、前記バックコンバータ回路の異常電圧または異常電流を検出した際に前記昇圧チョッパ回路を停止させた後に異常判定を行い、正常と判定された場合に前記バックコンバータ回路を駆動した後に異常判定を行い、異常と判定された場合に前記昇圧チョッパ回路と前記バックコンバータ回路とを保護動作させる点灯装置。
【請求項８】
交流電源からの交流電圧を整流することにより得られた直流電圧を昇圧する昇圧チョッパ回路と、
前記昇圧チョッパ回路により昇圧された直流電圧を降圧し、降圧した直流電圧により光源を点灯させるバックコンバータ回路と、
前記昇圧チョッパ回路または前記バックコンバータ回路の異常電圧または異常電流を検出した際に、前記昇圧チョッパ回路と前記バックコンバータ回路とを予め設定された順番で停止させる制御装置と、
を備え、
前記制御装置は、前記バックコンバータ回路の異常電圧または異常電流を検出した際に前記昇圧チョッパ回路を停止させた後に異常判定を行い、異常と判定された場合に前記バックコンバータ回路を停止させる点灯装置。
【請求項９】
交流電源からの交流電圧を整流することにより得られた直流電圧を昇圧する昇圧チョッパ回路と、
前記昇圧チョッパ回路により昇圧された直流電圧を降圧し、降圧した直流電圧により光源を点灯させるバックコンバータ回路と、
前記昇圧チョッパ回路または前記バックコンバータ回路の異常電圧または異常電流を検出した際に、前記昇圧チョッパ回路と前記バックコンバータ回路とを予め設定された順番で停止させる制御装置と、
を備え、
前記制御装置は、前記昇圧チョッパ回路の異常電圧または異常電流を検出した際に前記バックコンバータ回路を停止させた後に異常判定を行い、正常と判定された場合に前記バックコンバータ回路を駆動した後に異常判定を行い、正常と判定された場合に前記バックコンバータ回路の駆動を維持する点灯装置。
【請求項１０】
交流電源からの交流電圧を整流することにより得られた直流電圧を昇圧する昇圧チョッパ回路と、
前記昇圧チョッパ回路により昇圧された直流電圧を降圧し、降圧した直流電圧により光源を点灯させるバックコンバータ回路と、
前記昇圧チョッパ回路または前記バックコンバータ回路の異常電圧または異常電流を検出した際に、前記昇圧チョッパ回路と前記バックコンバータ回路とを予め設定された順番で停止させる制御装置と、
を備え、
前記制御装置は、前記昇圧チョッパ回路の異常電圧または異常電流を検出した際に前記バックコンバータ回路を停止させた後に異常判定を行い、正常と判定された場合に前記バックコンバータ回路を駆動した後に異常判定を行い、異常と判定された場合に前記昇圧チョッパ回路と前記バックコンバータ回路とを停止させる点灯装置。
【請求項１１】
交流電源からの交流電圧を整流することにより得られた直流電圧を昇圧する昇圧チョッパ回路と、
前記昇圧チョッパ回路により昇圧された直流電圧を降圧し、降圧した直流電圧により光源を点灯させるバックコンバータ回路と、
前記昇圧チョッパ回路または前記バックコンバータ回路の異常電圧または異常電流を検出した際に、前記昇圧チョッパ回路と前記バックコンバータ回路とを予め設定された順番で停止させる制御装置と、
を備え、
前記制御装置は、前記昇圧チョッパ回路の異常電圧または異常電流を検出した際に前記バックコンバータ回路を停止させた後に異常判定を行い、正常と判定された場合に前記バックコンバータ回路を駆動した後に異常判定を行い、異常と判定された場合に前記昇圧チョッパ回路と前記バックコンバータ回路とを保護動作させる点灯装置。
【請求項１２】
交流電源からの交流電圧を整流することにより得られた直流電圧を昇圧する昇圧チョッパ回路と、
前記昇圧チョッパ回路により昇圧された直流電圧を降圧し、降圧した直流電圧により光源を点灯させるバックコンバータ回路と、
前記昇圧チョッパ回路または前記バックコンバータ回路の異常電圧または異常電流を検出した際に、前記昇圧チョッパ回路と前記バックコンバータ回路とを予め設定された順番で停止させる制御装置と、
を備え、
前記制御装置は、前記昇圧チョッパ回路の異常電圧または異常電流を検出した際に前記バックコンバータ回路を停止させた後に異常判定を行い、異常と判定された場合に前記昇圧チョッパ回路を停止させる点灯装置。
【請求項１３】
交流電源からの交流電圧を整流することにより得られた直流電圧を昇圧する昇圧チョッパ回路と、
前記昇圧チョッパ回路により昇圧された直流電圧を降圧し、降圧した直流電圧により光源を点灯させるバックコンバータ回路と、
前記昇圧チョッパ回路または前記バックコンバータ回路の異常電圧または異常電流を検出した際に、前記昇圧チョッパ回路と前記バックコンバータ回路とを予め設定された順番で停止させる制御装置と、
を備え、
前記制御装置は、前記バックコンバータ回路の異常電圧または異常電流を検出した際に前記バックコンバータ回路を停止させた後に異常判定を行い、正常と判定された場合に前記バックコンバータ回路を駆動した後に異常判定を行い、正常と判定された場合に前記バックコンバータ回路の駆動を維持する点灯装置。
【請求項１４】
交流電源からの交流電圧を整流することにより得られた直流電圧を昇圧する昇圧チョッパ回路と、
前記昇圧チョッパ回路により昇圧された直流電圧を降圧し、降圧した直流電圧により光源を点灯させるバックコンバータ回路と、
前記昇圧チョッパ回路または前記バックコンバータ回路の異常電圧または異常電流を検出した際に、前記昇圧チョッパ回路と前記バックコンバータ回路とを予め設定された順番で停止させる制御装置と、
を備え、
前記制御装置は、前記バックコンバータ回路の異常電圧または異常電流を検出した際に前記バックコンバータ回路を停止させた後に異常判定を行い、正常と判定された場合に前記バックコンバータ回路を駆動した後に異常判定を行い、異常と判定された場合に前記昇圧チョッパ回路と前記バックコンバータ回路とを停止させる点灯装置。
【請求項１５】
交流電源からの交流電圧を整流することにより得られた直流電圧を昇圧する昇圧チョッパ回路と、
前記昇圧チョッパ回路により昇圧された直流電圧を降圧し、降圧した直流電圧により光源を点灯させるバックコンバータ回路と、
前記昇圧チョッパ回路または前記バックコンバータ回路の異常電圧または異常電流を検出した際に、前記昇圧チョッパ回路と前記バックコンバータ回路とを予め設定された順番で停止させる制御装置と、
を備え、
前記制御装置は、前記バックコンバータ回路の異常電圧または異常電流を検出した際に前記バックコンバータ回路を停止させた後に異常判定を行い、正常と判定された場合に前記バックコンバータ回路を駆動した後に異常判定を行い、異常と判定された場合に前記昇圧チョッパ回路と前記バックコンバータ回路とを保護動作させる点灯装置。
【請求項１６】
交流電源からの交流電圧を整流することにより得られた直流電圧を昇圧する昇圧チョッパ回路と、
前記昇圧チョッパ回路により昇圧された直流電圧を降圧し、降圧した直流電圧により光源を点灯させるバックコンバータ回路と、
前記昇圧チョッパ回路または前記バックコンバータ回路の異常電圧または異常電流を検出した際に、前記昇圧チョッパ回路と前記バックコンバータ回路とを予め設定された順番で停止させる制御装置と、
を備え、
前記制御装置は、前記バックコンバータ回路の異常電圧または異常電流を検出した際に前記バックコンバータ回路を停止させた後に異常判定を行い、異常と判定された場合に前記昇圧チョッパ回路を停止させる点灯装置。
【発明の詳細な説明】
【技術分野】
【０００１】
この発明は、点灯装置に関する。
【背景技術】
【０００２】
特許文献１は、点灯装置を開示する。当該点灯装置において、昇圧チョッパ回路は、交流電源からの交流電圧を整流することにより得られた直流電圧を昇圧する。バックコンバータ回路は、昇圧チョッパ回路により昇圧された直流電圧を降圧し、降圧した直流電圧により光源を点灯させる。制御装置は、制御電源回路からの電源供給により駆動する。制御装置は、昇圧チョッパ回路の動作とバックコンバータ回路の動作とを制御する。
【先行技術文献】
【特許文献】
【０００３】
【特許文献１】特開２０１５−１５９０３６号公報
【発明の概要】
【発明が解決しようとする課題】
【０００４】
しかしながら、特許文献１に記載の点灯装置においては、異常が検出された際における昇圧チョッパ回路とバックコンバータ回路との停止順が明確化されていない。このため、異常の原因を判定することができない。
【０００５】
この発明は、上述の課題を解決するためになされた。この発明の目的は、異常の原因を判定することができる点灯装置を提供することである。
【課題を解決するための手段】
【０００６】
この発明に係る点灯装置は、交流電源からの交流電圧を整流することにより得られた直流電圧を昇圧する昇圧チョッパ回路と、前記昇圧チョッパ回路により昇圧された直流電圧を降圧し、降圧した直流電圧により光源を点灯させるバックコンバータ回路と、前記昇圧チョッパ回路または前記バックコンバータ回路の異常電圧または異常電流を検出した際に、前記昇圧チョッパ回路と前記バックコンバータ回路とを予め設定された順番で停止させる制御装置と、を備え、前記制御装置は、前記昇圧チョッパ回路の異常電圧または異常電流を検出した際に前記昇圧チョッパ回路を停止させた後に異常判定を行い、正常と判定された場合に前記昇圧チョッパ回路を駆動した後に異常判定を行い、正常と判定された場合に前記昇圧チョッパ回路の駆動を維持する。
この発明に係る点灯装置は、交流電源からの交流電圧を整流することにより得られた直流電圧を昇圧する昇圧チョッパ回路と、前記昇圧チョッパ回路により昇圧された直流電圧を降圧し、降圧した直流電圧により光源を点灯させるバックコンバータ回路と、前記昇圧チョッパ回路または前記バックコンバータ回路の異常電圧または異常電流を検出した際に、前記昇圧チョッパ回路と前記バックコンバータ回路とを予め設定された順番で停止させる制御装置と、を備え、前記制御装置は、前記昇圧チョッパ回路の異常電圧または異常電流を検出した際に前記昇圧チョッパ回路を停止させた後に異常判定を行い、正常と判定された場合に前記昇圧チョッパ回路を駆動した後に異常判定を行い、異常と判定された場合に前記昇圧チョッパ回路と前記バックコンバータ回路とを停止させる。
この発明に係る点灯装置は、交流電源からの交流電圧を整流することにより得られた直流電圧を昇圧する昇圧チョッパ回路と、前記昇圧チョッパ回路により昇圧された直流電圧を降圧し、降圧した直流電圧により光源を点灯させるバックコンバータ回路と、前記昇圧チョッパ回路または前記バックコンバータ回路の異常電圧または異常電流を検出した際に、前記昇圧チョッパ回路と前記バックコンバータ回路とを予め設定された順番で停止させる制御装置と、を備え、前記制御装置は、前記昇圧チョッパ回路の異常電圧または異常電流を検出した際に前記昇圧チョッパ回路を停止させた後に異常判定を行い、正常と判定された場合に前記昇圧チョッパ回路を駆動した後に異常判定を行い、異常と判定された場合に前記昇圧チョッパ回路と前記バックコンバータ回路とを保護動作させる。
この発明に係る点灯装置は、交流電源からの交流電圧を整流することにより得られた直流電圧を昇圧する昇圧チョッパ回路と、前記昇圧チョッパ回路により昇圧された直流電圧を降圧し、降圧した直流電圧により光源を点灯させるバックコンバータ回路と、前記昇圧チョッパ回路または前記バックコンバータ回路の異常電圧または異常電流を検出した際に、前記昇圧チョッパ回路と前記バックコンバータ回路とを予め設定された順番で停止させる制御装置と、を備え、前記制御装置は、前記昇圧チョッパ回路の異常電圧または異常電流を検出した際に前記昇圧チョッパ回路を停止させた後に異常判定を行い、異常と判定された場合に前記バックコンバータ回路を停止させる。
この発明に係る点灯装置は、交流電源からの交流電圧を整流することにより得られた直流電圧を昇圧する昇圧チョッパ回路と、前記昇圧チョッパ回路により昇圧された直流電圧を降圧し、降圧した直流電圧により光源を点灯させるバックコンバータ回路と、前記昇圧チョッパ回路または前記バックコンバータ回路の異常電圧または異常電流を検出した際に、前記昇圧チョッパ回路と前記バックコンバータ回路とを予め設定された順番で停止させる制御装置と、を備え、前記制御装置は、前記バックコンバータ回路の異常電圧または異常電流を検出した場合に前記昇圧チョッパ回路を停止させた後に異常判定を行い、正常と判定された場合に前記昇圧チョッパ回路を駆動した後に異常判定を行い、正常と判定された場合に前記昇圧チョッパ回路の駆動を維持する。
この発明に係る点灯装置は、交流電源からの交流電圧を整流することにより得られた直流電圧を昇圧する昇圧チョッパ回路と、前記昇圧チョッパ回路により昇圧された直流電圧を降圧し、降圧した直流電圧により光源を点灯させるバックコンバータ回路と、前記昇圧チョッパ回路または前記バックコンバータ回路の異常電圧または異常電流を検出した際に、前記昇圧チョッパ回路と前記バックコンバータ回路とを予め設定された順番で停止させる制御装置と、を備え、前記制御装置は、前記バックコンバータ回路の異常電圧または異常電流を検出した際に前記昇圧チョッパ回路を停止させた後に異常判定を行い、正常と判定された場合に前記バックコンバータ回路を駆動した後に異常判定を行い、異常と判定された場合に前記昇圧チョッパ回路と前記バックコンバータ回路とを停止させる。
この発明に係る点灯装置は、交流電源からの交流電圧を整流することにより得られた直流電圧を昇圧する昇圧チョッパ回路と、前記昇圧チョッパ回路により昇圧された直流電圧を降圧し、降圧した直流電圧により光源を点灯させるバックコンバータ回路と、前記昇圧チョッパ回路または前記バックコンバータ回路の異常電圧または異常電流を検出した際に、前記昇圧チョッパ回路と前記バックコンバータ回路とを予め設定された順番で停止させる制御装置と、を備え、前記制御装置は、前記バックコンバータ回路の異常電圧または異常電流を検出した際に前記昇圧チョッパ回路を停止させた後に異常判定を行い、正常と判定された場合に前記バックコンバータ回路を駆動した後に異常判定を行い、異常と判定された場合に前記昇圧チョッパ回路と前記バックコンバータ回路とを保護動作させる。
この発明に係る点灯装置は、交流電源からの交流電圧を整流することにより得られた直流電圧を昇圧する昇圧チョッパ回路と、前記昇圧チョッパ回路により昇圧された直流電圧を降圧し、降圧した直流電圧により光源を点灯させるバックコンバータ回路と、前記昇圧チョッパ回路または前記バックコンバータ回路の異常電圧または異常電流を検出した際に、前記昇圧チョッパ回路と前記バックコンバータ回路とを予め設定された順番で停止させる制御装置と、を備え、前記制御装置は、前記バックコンバータ回路の異常電圧または異常電流を検出した際に前記昇圧チョッパ回路を停止させた後に異常判定を行い、異常と判定された場合に前記バックコンバータ回路を停止させる。
この発明に係る点灯装置は、交流電源からの交流電圧を整流することにより得られた直流電圧を昇圧する昇圧チョッパ回路と、前記昇圧チョッパ回路により昇圧された直流電圧を降圧し、降圧した直流電圧により光源を点灯させるバックコンバータ回路と、前記昇圧チョッパ回路または前記バックコンバータ回路の異常電圧または異常電流を検出した際に、前記昇圧チョッパ回路と前記バックコンバータ回路とを予め設定された順番で停止させる制御装置と、を備え、前記制御装置は、前記昇圧チョッパ回路の異常電圧または異常電流を検出した際に前記バックコンバータ回路を停止させた後に異常判定を行い、正常と判定された場合に前記バックコンバータ回路を駆動した後に異常判定を行い、正常と判定された場合に前記バックコンバータ回路の駆動を維持する。
この発明に係る点灯装置は、交流電源からの交流電圧を整流することにより得られた直流電圧を昇圧する昇圧チョッパ回路と、前記昇圧チョッパ回路により昇圧された直流電圧を降圧し、降圧した直流電圧により光源を点灯させるバックコンバータ回路と、前記昇圧チョッパ回路または前記バックコンバータ回路の異常電圧または異常電流を検出した際に、前記昇圧チョッパ回路と前記バックコンバータ回路とを予め設定された順番で停止させる制御装置と、を備え、前記制御装置は、前記昇圧チョッパ回路の異常電圧または異常電流を検出した際に前記バックコンバータ回路を停止させた後に異常判定を行い、正常と判定された場合に前記バックコンバータ回路を駆動した後に異常判定を行い、異常と判定された場合に前記昇圧チョッパ回路と前記バックコンバータ回路とを停止させる。
この発明に係る点灯装置は、交流電源からの交流電圧を整流することにより得られた直流電圧を昇圧する昇圧チョッパ回路と、前記昇圧チョッパ回路により昇圧された直流電圧を降圧し、降圧した直流電圧により光源を点灯させるバックコンバータ回路と、前記昇圧チョッパ回路または前記バックコンバータ回路の異常電圧または異常電流を検出した際に、前記昇圧チョッパ回路と前記バックコンバータ回路とを予め設定された順番で停止させる制御装置と、を備え、前記制御装置は、前記昇圧チョッパ回路の異常電圧または異常電流を検出した際に前記バックコンバータ回路を停止させた後に異常判定を行い、正常と判定された場合に前記バックコンバータ回路を駆動した後に異常判定を行い、異常と判定された場合に前記昇圧チョッパ回路と前記バックコンバータ回路とを保護動作させる。
この発明に係る点灯装置は、交流電源からの交流電圧を整流することにより得られた直流電圧を昇圧する昇圧チョッパ回路と、前記昇圧チョッパ回路により昇圧された直流電圧を降圧し、降圧した直流電圧により光源を点灯させるバックコンバータ回路と、前記昇圧チョッパ回路または前記バックコンバータ回路の異常電圧または異常電流を検出した際に、前記昇圧チョッパ回路と前記バックコンバータ回路とを予め設定された順番で停止させる制御装置と、を備え、前記制御装置は、前記昇圧チョッパ回路の異常電圧または異常電流を検出した際に前記バックコンバータ回路を停止させた後に異常判定を行い、異常と判定された場合に前記昇圧チョッパ回路を停止させる。
この発明に係る点灯装置は、交流電源からの交流電圧を整流することにより得られた直流電圧を昇圧する昇圧チョッパ回路と、前記昇圧チョッパ回路により昇圧された直流電圧を降圧し、降圧した直流電圧により光源を点灯させるバックコンバータ回路と、前記昇圧チョッパ回路または前記バックコンバータ回路の異常電圧または異常電流を検出した際に、前記昇圧チョッパ回路と前記バックコンバータ回路とを予め設定された順番で停止させる制御装置と、を備え、前記制御装置は、前記バックコンバータ回路の異常電圧または異常電流を検出した際に前記バックコンバータ回路を停止させた後に異常判定を行い、正常と判定された場合に前記バックコンバータ回路を駆動した後に異常判定を行い、正常と判定された場合に前記バックコンバータ回路の駆動を維持する。
この発明に係る点灯装置は、交流電源からの交流電圧を整流することにより得られた直流電圧を昇圧する昇圧チョッパ回路と、前記昇圧チョッパ回路により昇圧された直流電圧を降圧し、降圧した直流電圧により光源を点灯させるバックコンバータ回路と、前記昇圧チョッパ回路または前記バックコンバータ回路の異常電圧または異常電流を検出した際に、前記昇圧チョッパ回路と前記バックコンバータ回路とを予め設定された順番で停止させる制御装置と、を備え、前記制御装置は、前記バックコンバータ回路の異常電圧または異常電流を検出した際に前記バックコンバータ回路を停止させた後に異常判定を行い、正常と判定された場合に前記バックコンバータ回路を駆動した後に異常判定を行い、異常と判定された場合に前記昇圧チョッパ回路と前記バックコンバータ回路とを停止させる。
この発明に係る点灯装置は、交流電源からの交流電圧を整流することにより得られた直流電圧を昇圧する昇圧チョッパ回路と、前記昇圧チョッパ回路により昇圧された直流電圧を降圧し、降圧した直流電圧により光源を点灯させるバックコンバータ回路と、前記昇圧チョッパ回路または前記バックコンバータ回路の異常電圧または異常電流を検出した際に、前記昇圧チョッパ回路と前記バックコンバータ回路とを予め設定された順番で停止させる制御装置と、を備え、前記制御装置は、前記バックコンバータ回路の異常電圧または異常電流を検出した際に前記バックコンバータ回路を停止させた後に異常判定を行い、正常と判定された場合に前記バックコンバータ回路を駆動した後に異常判定を行い、異常と判定された場合に前記昇圧チョッパ回路と前記バックコンバータ回路とを保護動作させる。
この発明に係る点灯装置は、交流電源からの交流電圧を整流することにより得られた直流電圧を昇圧する昇圧チョッパ回路と、前記昇圧チョッパ回路により昇圧された直流電圧を降圧し、降圧した直流電圧により光源を点灯させるバックコンバータ回路と、前記昇圧チョッパ回路または前記バックコンバータ回路の異常電圧または異常電流を検出した際に、前記昇圧チョッパ回路と前記バックコンバータ回路とを予め設定された順番で停止させる制御装置と、を備え、前記制御装置は、前記バックコンバータ回路の異常電圧または異常電流を検出した際に前記バックコンバータ回路を停止させた後に異常判定を行い、異常と判定された場合に前記昇圧チョッパ回路を停止させる。
【発明の効果】
【０００７】
この発明によれば、異常が検出された際、昇圧チョッパ回路とバックコンバータ回路とは、予め設定された順番で停止する。このため、異常の原因を判定することができる。
【図面の簡単な説明】
【０００８】
【図１】この発明の実施の形態１における点灯装置を備えた照明器具の回路図である。
【図２】この発明の実施の形態１における点灯装置に対して異常が検出される際の制御装置の動作を説明するためのフローチャートである。
【図３】この発明の実施の形態１における点灯装置に対して異常が検出される際の制御装置の動作を説明するためのフローチャートである。
【図４】この発明の実施の形態１における点灯装置を備えた照明器具の制御装置の変形例を説明するための回路図である。
【図５】この発明の実施の形態１における点灯装置を備えた照明器具の制御装置の変形例の周辺を説明するための回路図である。
【図６】この発明の実施の形態２における点灯装置に対して異常が検出される際の制御装置の動作を説明するためのフローチャートである。
【図７】この発明の実施の形態２における点灯装置に対して異常が検出される際の制御装置の動作を説明するためのフローチャートである。
【図８】この発明の実施の形態において利用される異常電圧または異常電流の判定基準の一例を示すタイムチャートである。
【発明を実施するための形態】
【０００９】
この発明を実施するための形態について添付の図面に従って説明する。なお、各図中、同一または相当する部分には、同一の符号が付される。当該部分の重複説明は適宜に簡略化または省略化される。各構成の大きさの関係は、実際と異なる場合もある。
【００１０】
実施の形態１．
図１はこの発明の実施の形態１における点灯装置を備えた照明器具の回路図である。
【００１１】
図１に示すように、照明器具１は、交流電源２に接続される。照明器具１は、光源モジュール３と点灯装置４とを備える。
【００１２】
例えば、光源モジュール３は、複数のＬＥＤ５を１列に直列に接続したモジュールである。例えば、ＬＥＤ５の各々は、無機半導体で形成されたＬＥＤ素子である。例えば、ＬＥＤ５の各々は、有機半導体で形成された有機ＥＬ素子である。
【００１３】
点灯装置４は、整流回路６とコンデンサ７と抵抗８と抵抗９と昇圧チョッパ回路１０とバックコンバータ回路１１とランプ接続検出回路１２と制御電源回路１３と駆動回路１４と制御装置１５とを備える。
【００１４】
整流回路６は、交流電源２に接続される。整流回路６の低電位側は、接地される。コンデンサ７は、整流回路６の出力端に並列に接続される。抵抗８と抵抗９とは、直列に接続されることにより分圧回路を形成する。当該分圧回路は、コンデンサ７に並列に接続される。
【００１５】
昇圧チョッパ回路１０は、インダクタ１６と第１スイッチング素子Ｑ１とダイオード１７とコンデンサ１８と抵抗１９と抵抗２０とを備える。
【００１６】
インダクタ１６の一端は、整流回路６の高電位側に接続される。
【００１７】
本実施の形態において、第１スイッチング素子Ｑ１は、ＭＯＳＦＥＴである。第１スイッチング素子Ｑ１は、第１端子（本実施の形態においてはドレイン）と第２端子（本実施の形態においてはソース）と制御端子（本実施の形態においてはゲート）とを備える。
【００１８】
第１スイッチング素子Ｑ１の第１端子は、インダクタ１６の他端に接続される。第１スイッチング素子Ｑ１の第２端子は、整流回路６の低電位側に接続される。
【００１９】
ダイオード１７のアノードは、インダクタ１６の他端と第１スイッチング素子Ｑ１の第１端子との接続点に接続される。コンデンサ１８は、電解コンデンサである。コンデンサ１８の正極は、ダイオード１７のカソードに接続される。コンデンサ１８の負極は、整流回路６の低電位側に接続される。
【００２０】
抵抗１９と抵抗２０とは、直列に接続されることにより分圧回路を形成する。当該分圧回路は、コンデンサ１８に並列に接続される。
【００２１】
バックコンバータ回路１１は、第２スイッチング素子Ｑ２とダイオード２１とインダクタ２２とコンデンサ２３と検出抵抗２４とを備える。
【００２２】
第２スイッチング素子Ｑ２とダイオード２１とは、直列回路を形成する。当該直列回路は、昇圧チョッパ回路１０のコンデンサ１８と並列に接続される。
【００２３】
本実施の形態において、第２スイッチング素子Ｑ２は、ＭＯＳＦＥＴである。第２スイッチング素子Ｑ２は、第１端子（本実施の形態においてはドレイン）と第２端子（本実施の形態においてはソース）と制御端子（本実施の形態においてはゲート）とを備える。
【００２４】
第２スイッチング素子Ｑ２の第１端子は、コンデンサ１８の正極に接続される。第２スイッチング素子Ｑ２の第２端子は、ダイオード２１のカソードに接続される。ダイオード２１のアノードは、コンデンサ１８の負極に接続される。
【００２５】
インダクタ２２とコンデンサ２３と検出抵抗２４とは、この順に直列に接続して直列回路を形成する。当該直列回路は、ダイオード２１に並列に接続される。
【００２６】
ランプ接続検出回路１２は、コンデンサ２３に並列に接続される。ランプ接続検出回路１２は、抵抗２５と抵抗２６とを備える。
【００２７】
抵抗２５と抵抗２６とは、直列に接続されることにより分圧回路を形成する。当該分圧回路は、光源モジュール３に並列に接続される。
【００２８】
本実施の形態において、制御電源回路１３の電源入力端は、昇圧チョッパ回路１０の出力端に接続される。具体的には、制御電源回路１３は、コンデンサ１８の後段に接続される。
【００２９】
駆動回路１４の電源入力端は、制御電源回路１３の第１電源出力端に接続される。駆動回路１４の第１信号出力端は、第１スイッチング素子Ｑ１の制御端子に接続される。駆動回路１４の第２信号出力端は、第２スイッチング素子Ｑ２の制御端子に接続される。
【００３０】
デジタルインターフェース回路２７は、調光器２８からの調光信号の入力を受け付け得るように設けられる。
【００３１】
制御装置１５の電源入力端は、制御電源回路１３の第２電源出力端に接続される。制御装置１５の第１信号入力端は、抵抗８と抵抗９との接続点に接続される。制御装置１５の第２信号入力端は、抵抗１９と抵抗２０との接続点に接続される。制御装置１５の第３信号入力端は、第１スイッチング素子Ｑ１の第２端子に接続される。制御装置１５の第４信号入力端は、抵抗２５と抵抗２６との接続点に接続される。制御装置１５の第５信号入力端は、コンデンサ２３と検出抵抗２４との接続点に接続される。
【００３２】
例えば、壁スイッチＳＷの操作により交流電源２が投入されると、整流回路６は、交流電源２からの交流電圧を整流する。制御電源回路１３は、整流回路６により整流された直流電圧により起動する。制御電源回路１３は、駆動回路１４に電源電圧ＶＡＣＣを供給する。制御電源回路１３は、制御装置１５に電源電圧ＶＤＣＣを供給する。
【００３３】
昇圧チョッパ回路１０は、第１スイッチング素子Ｑ１を動作させることで整流回路６により整流された直流電圧を昇圧する。その結果、昇圧チョッパ回路１０は、第１出力電圧Ｖ１を出力する。第１出力電圧Ｖ１は、制御電源回路１３の電源電圧として用いられる。
【００３４】
バックコンバータ回路１１は、第２スイッチング素子Ｑ２を動作させることで第１出力電圧Ｖ１を降圧する。その結果、バックコンバータ回路１１は、第２出力電圧Ｖ２を出力する。第２出力電圧Ｖ２は、光源モジュール３の点灯に用いられる。
【００３５】
抵抗８と抵抗９とは、コンデンサ７の両端電圧を分圧する。その結果、入力電圧Ｖｉｎが生成される。抵抗１９と抵抗２０とは、コンデンサ１８の両端電圧を分圧する。その結果、検出電圧Ｖｐが生成される。抵抗２５と抵抗２６とは、コンデンサ２３の両端電圧を分圧する。その結果、検出電圧Ｖｂが生成される。
【００３６】
制御装置１５は、入力電圧Ｖｉｎの入力を受け付ける。制御装置１５は、検出電圧Ｖｐの入力を受け付ける。制御装置１５は、検出電圧Ｖｂの入力を受け付ける。
【００３７】
制御装置１５は、昇圧チョッパ回路１０に流れる電流Ｉｐを検出する。制御装置１５は、検出電圧ＶＩＬＥＤに基づいてバックコンバータ回路１１に流れる電流Ｉｂを検出する。制御装置１５は、検出電圧ＶＩＬＥＤに基づいて光源モジュール３に流れるＬＥＤ電流ＩＬＥＤを検出する。
【００３８】
制御装置１５は、ユーザーの設定により任意の異なるタイミングでＰＷＭ信号Ｓｐの出力とＰＷＭ信号Ｓｂの出力とを開始する。
【００３９】
例えば、制御装置１５は、検出電圧Ｖｐに基づいて昇圧チョッパ回路１０の出力電圧が一定値になるように、ＰＷＭ信号Ｓｐを調節する。具体的には、制御装置１５は、昇圧チョッパ回路１０の出力電圧が予め設定された昇圧目標値と一致するように、ＰＷＭ信号Ｓｐを調節する。特に、制御装置１５は、力率改善制御を行うために、いわゆる電流臨界モードまたは電流連続モード等で第１スイッチング素子Ｑ１のスイッチングを制御する。
【００４０】
ＰＷＭ信号Ｓｐは、駆動回路１４に入力される。駆動回路１４は、第１スイッチング素子Ｑ１をオンさせる為に必要な電圧までＰＷＭ信号Ｓｐを増幅して駆動信号を生成する。駆動回路１４は、当該駆動信号を第１スイッチング素子Ｑ１の制御端子に出力する。
【００４１】
第１スイッチング素子Ｑ１は、ＰＷＭ信号Ｓｐに従ってオンオフ動作を実施する。その結果、昇圧チョッパ回路１０は、所望の昇圧動作および力率改善動作を行う。
【００４２】
例えば、制御装置１５は、検出電圧ＶＩＬＥＤに基づいてＬＥＤ電流ＩＬＥＤが一定値となるように、ＰＷＭ信号Ｓｂを調節する。具体的には、制御装置１５は、バックコンバータ回路１１の出力電圧が予め設定された降圧目標値と一致するように、ＰＷＭ信号Ｓｂを調節する。
【００４３】
ＰＷＭ信号Ｓｂは、駆動回路１４に入力される。駆動回路１４は、第２スイッチング素子Ｑ２をオンさせる為に必要な電圧までＰＷＭ信号Ｓｂを増幅して駆動信号を生成する。駆動回路１４は、当該駆動信号を第２スイッチング素子Ｑ２の制御端子に出力する。
【００４４】
第２スイッチング素子Ｑ２は、ＰＷＭ信号Ｓｂに従ってオンオフ動作を実施する。その結果、バックコンバータ回路１１は、光源モジュール３の複数のＬＥＤ５を所望の明るさで点灯させる。
【００４５】
図１において、制御装置１５は、ＣＰＵ等が形成された回路基板を樹脂パッケージ等で封止した集積回路パッケージ（ＩＣパッケージ）の形態で提供される。当該集積回路パッケージには、いくつかのバリエーションが想定される。例えば、制御装置１５は、Ａ／Ｄ変換回路２９とマイコン３０とを内蔵する。
【００４６】
Ａ／Ｄ変換回路２９は、入力電圧Ｖｉｎと検出電圧Ｖｐと検出電圧Ｖｂと検出電圧ＶＩＬＥＤと電流Ｉｐとをそれぞれデジタル値に変換する。
【００４７】
マイコン３０は、メモリ、演算処理部等を内蔵する。例えば、メモリは、フラッシュメモリである。メモリは、点灯制御に必要な各種デジタル情報と制御プログラムとを記憶する。演算処理部は、Ａ／Ｄ変換回路２９を介してデジタル値に変換された各種情報とメモリに記憶された各種デジタル情報とを利用して点灯制御用の制御プログラムを実行する。
【００４８】
マイコン３０は、制御プログラムを実行することにより、第１スイッチング素子Ｑ１と第２スイッチング素子Ｑ２とのそれぞれのスイッチング制御に関するオンデューティ等の動作目標値を算出する。例えば、マイコン３０は、昇圧チョッパ回路１０において所望の昇圧電圧を得るとともに所望の力率改善制御を行うように、第１スイッチング素子Ｑ１の動作目標値を算出する。例えば、マイコン３０は、光源モジュール３の複数のＬＥＤ５において所望の明るさが得られるように、第２スイッチング素子Ｑ２の動作目標値を算出する。
【００４９】
調光器２８が操作されると、デジタルインターフェース回路２７は、調光器２８からの調光信号の入力を受け付ける。当該調光信号は、デジタルインターフェース回路２７からマイコン３０に伝達される。
【００５０】
マイコン３０は、当該調光信号に応じた調光率で光源モジュール３の複数のＬＥＤ５を点灯させるように、第２スイッチング素子Ｑ２についてオンデューティ等の動作目標値を算出する。マイコン３０は、算出した動作目標値で指定されたパルス幅、周期、デューティ等を満たすようにＰＷＭ信号ＳｐとＰＷＭ信号Ｓｂとをそれぞれ出力する。
【００５１】
本実施の形態において、制御装置１５は、検出電圧Ｖｐに基づいて昇圧チョッパ回路１０の異常電圧を検出する。制御装置１５は、電流Ｉｐに基づいて昇圧チョッパ回路１０の異常電流を検出する。制御装置１５は、検出電圧Ｖｂに基づいてバックコンバータ回路１１の異常電圧を検出する。制御装置１５は、電流Ｉｂに基づいてバックコンバータ回路１１の異常電流を検出する。
【００５２】
制御装置１５は、昇圧チョッパ回路１０またはバックコンバータ回路１１の異常電圧または異常電流を検出した際に、昇圧チョッパ回路１０とバックコンバータ回路１１とを予め設定された順番で停止させる。具体的には、制御装置１５は、第１スイッチング素子Ｑ１のスイッチングと第２スイッチング素子Ｑ２のスイッチングとを予め設定された順番で停止させる。第１、第２スイッチング素子Ｑ１、Ｑ２の停止は、マイコン３０が各々の制御信号Ｓｐ、Ｓｂを駆動回路１４に送るのを停止することにより行う。
【００５３】
制御装置１５は、昇圧チョッパ回路１０およびバックコンバータ回路１１の異常検出箇所と第１スイッチング素子Ｑ１と第２スイッチング素子Ｑ２との動作状態の組み合わせで異常を判定する。
【００５４】
次に、図２と図３とを用いて、異常が検出される際の制御装置１５の動作を説明する。
図２と図３とはこの発明の実施の形態１における点灯装置に対して異常が検出される際の制御装置の動作を説明するためのフローチャートである。
【００５５】
ステップＳ１では、制御装置１５は、昇圧チョッパ回路１０の異常電圧または異常電流を検出したか否かを判定する。
【００５６】
ステップＳ１で制御装置１５が昇圧チョッパ回路１０の異常電圧または異常電流を検出していない場合は、ステップＳ２に進む。ステップＳ２では、制御装置１５は、バックコンバータ回路１１の異常電圧または異常電流を検出したか否かを判定する。
【００５７】
ステップＳ２で制御装置１５がバックコンバータ回路１１の異常電圧または異常電流を検出していない場合は、ステップＳ１に戻る。
【００５８】
ステップＳ１で制御装置１５が昇圧チョッパ回路１０の異常電圧または異常電流を検出した場合は、ステップＳ３に進む。ステップＳ３では、制御装置１５は、昇圧チョッパ回路１０を停止させる。その後、ステップＳ４に進む。ステップＳ４では、制御装置１５は、異常判定を行う。
【００５９】
ステップＳ４で正常と判定された場合は、ステップＳ５に進む。ステップＳ５では、制御装置１５は、リトライを実施する。具体的には、制御装置１５は、昇圧チョッパ回路１０を駆動する。その後、ステップＳ６に進む。ステップＳ６では、制御装置１５は、異常判定を行う。
【００６０】
ステップＳ６で正常と判定された場合は、ステップＳ７に進む。ステップＳ７では、制御装置１５は、昇圧チョッパ回路１０が一時的に異常であったと判定する。この際、制御装置１５は、昇圧チョッパ回路１０の駆動を維持する。その結果、ＬＥＤ５の点灯状態が通常の点灯状態に復帰する。その後、動作が終了する。
【００６１】
ステップＳ６で異常と判定された場合は、ステップＳ８に進む。ステップＳ８では、制御装置１５は、昇圧チョッパ回路１０のみの異常であると判定する。この際、制御装置１５は、昇圧チョッパ回路１０とバックコンバータ回路１１とを停止させる。その後、動作が終了する。
【００６２】
ステップＳ４で異常と判定された場合は、ステップＳ９に進む。ステップＳ９では、制御装置１５は、バックコンバータ回路１１の異常であると判定する。この際、制御装置１５は、バックコンバータ回路１１を停止させる。その後、動作が終了する。
【００６３】
ステップＳ２で制御装置１５がバックコンバータ回路１１の異常電圧または異常電流を検出した場合は、ステップＳ１０に進む。ステップＳ１０では、制御装置１５は、昇圧チョッパ回路１０を停止させる。その後、ステップＳ１１に進む。ステップＳ１１では、制御装置１５は、異常判定を行う。
【００６４】
ステップＳ１１で正常と判定された場合は、ステップＳ１２に進む。ステップＳ１２では、制御装置１５は、リトライを実施する。具体的には、制御装置１５は、昇圧チョッパ回路１０を駆動する。その後、ステップＳ１３に進む。ステップＳ１３では、制御装置１５は、異常判定を行う。
【００６５】
ステップＳ１３で正常と判定された場合は、ステップＳ１４に進む。ステップＳ１４では、制御装置１５は、バックコンバータ回路１１が一時的に異常であったと判定する。この際、制御装置１５は、昇圧チョッパ回路１０の駆動を維持する。その結果、ＬＥＤ５の点灯状態が通常の点灯状態に復帰する。その後、動作が終了する。
【００６６】
ステップＳ１３で異常と判定された場合は、ステップＳ１５に進む。ステップＳ１５では、制御装置１５は、昇圧チョッパ回路１０の異常であると判定する。この際、制御装置１５は、昇圧チョッパ回路１０とバックコンバータ回路１１とを停止させる。その後、動作が終了する。
【００６７】
ステップＳ１１で異常と判定された場合は、ステップＳ１６に進む。ステップＳ１６では、制御装置１５は、バックコンバータ回路１１のみの異常であると判定する。この際、制御装置１５は、バックコンバータ回路１１を停止させる。その後、動作が終了する。
【００６８】
以上で説明した実施の形態１によれば、異常が検出された際、昇圧チョッパ回路１０とバックコンバータ回路１１とは、予め設定された順番で停止する。このため、異常の原因を判定することができる。
【００６９】
具体的には、昇圧チョッパ回路１０を先に停止させた際の異常判定の結果に基づいて昇圧チョッパ回路１０またはバックコンバータ回路１１の異常が判定される。
【００７０】
例えば、ステップＳ７において、制御装置１５は、昇圧チョッパ回路１０が一時的に異常であったと判定する。この場合、異常部分を速やかに停止させつつ、ＬＥＤ５の点灯を速やかに復帰させることができる。
【００７１】
例えば、ステップＳ８において、制御装置１５は、昇圧チョッパ回路１０のみの異常であると判定する。この場合、異常部分を速やかに停止させつつ、昇圧チョッパ回路１０の異常を検出することができる。
【００７２】
例えば、ステップＳ９において、制御装置１５は、バックコンバータ回路１１の異常であると判定する。この場合、異常部分を速やかに停止させつつ、バックコンバータ回路１１の異常を検出することができる。
【００７３】
例えば、ステップＳ１４において、制御装置１５は、バックコンバータ回路１１が一時的に異常であったと判定する。この場合、ＬＥＤ５の点灯を極力維持したまま、ＬＥＤ５の点灯を速やかに復帰させることができる。
【００７４】
例えば、ステップＳ１５において、制御装置１５は、昇圧チョッパ回路１０の異常であると判定する。この場合、ＬＥＤ５の点灯を極力維持したまま、昇圧チョッパ回路１０の異常を判定することができる。
【００７５】
例えば、ステップＳ１６において、制御装置１５は、バックコンバータ回路１１のみの異常であると判定する。この場合、ＬＥＤ５の点灯を極力維持したまま、バックコンバータ回路１１の異常を判定することができる。
【００７６】
なお、ステップＳ８とステップＳ９とステップＳ１５とステップＳ１６とにおいて、昇圧チョッパ回路１０とバックコンバータ回路１１とを保護動作させてもよい。例えば、昇圧チョッパ回路１０とバックコンバータ回路１１との動作が予め設定された範囲内で収まるようにしてもよい。この場合、ＬＥＤ５の点灯を維持することができる。
【００７７】
また、制御装置１５は、複数のマイコン３０を備えてもよい。複数のマイコン３０は、昇圧チョッパ回路１０を制御する「第１のマイコン３０」とバックコンバータ回路１１を制御する「第２のマイコン３０」とを含んでもよい。複数のマイコン３０が設けられた場合、それぞれのマイコン３０で異なるスイッチング制御開始タイミングなどを設定できるように、各マイコン３０の内部のプログラムを構築してもよい。あるいは、複数のマイコン３０が連携して動作してもよい。例えば、複数のマイコン３０が互いに通信を行い、昇圧チョッパ回路１０の駆動状態を示す信号とバックコンバータ回路１１の駆動状態を示す信号とを複数のマイコン３０の間で授受してもよい。
【００７８】
次に、図４と図５とを用いて、制御装置１５の変形例を説明する。
図４はこの発明の実施の形態１における点灯装置を備えた照明器具の制御装置の変形例を説明するための回路図である。図５はこの発明の実施の形態１における点灯装置を備えた照明器具の制御装置の変形例の周辺を説明するための回路図である。
【００７９】
図４において、制御装置１５は、制御電源回路１３、駆動回路１４等の「アナログ回路」とマイコン３０等の「デジタル回路」とを単一のＩＣパッケージに収納する。各回路は、ＩＣパッケージの内部において互いに配線接続される。この場合、駆動回路１４が制御装置１５の外側に設けられる場合と比べて、マイコン３０と駆動回路１４とを結ぶ信号送受信配線が飛躍的に短くなる。
【００８０】
制御装置１５は、制御電源回路１３の少なくとも一部を備える。例えば、制御装置１５は、受動回路部３１と制御電源ＩＣ３２とのうちの制御電源ＩＣ３２を備える。
【００８１】
ＩＣパッケージの内部において、信号送受信配線にノイズフィルタを接続してもよい。例えば、ノイズフィルタとしてコンデンサ素子を用いてもよい。この際、コンデンサ素子の一端を信号送受信配線と接続し、コンデンサ素子の他端をグランド配線と接続すればよい。
【００８２】
この場合、制御装置１５のパッケージの内部に形成された短い配線を介して、マイコン３０から駆動回路１４へとＰＷＭ信号ＳｐとＰＷＭ信号Ｓｂとを低ノイズで伝送できる。その結果、第１スイッチング素子Ｑ１と第２スイッチング素子Ｑ２とを精度よく連動させることができる。
【００８３】
図５において、制御電源回路１３は、降圧コンバータ回路である。例えば、制御電源回路１３は、バックコンバータ回路である。
【００８４】
制御電源回路１３において、受動回路部３１は、バックコンバータ回路を構成する複数の受動素子を備える。具体的には、受動素子の一方は、チョークコイルＬ１である。受動素子の他方は、コンデンサＣ１である。
【００８５】
制御電源回路１３において、制御電源ＩＣ３２は、バックコンバータ回路を構成する複数の能動素子を備える。具体的には、能動素子の一方は、インテリジェントパワーデバイスＩＰＤである。インテリジェントパワーデバイスＩＰＤは、スイッチング素子としてＭＯＳＦＥＴを内部に備える。能動素子の他方は、ダイオードＤ１である。
【００８６】
制御電源回路１３において、出力電圧は、チョークコイルＬ１とコンデンサＣ１との接続点から取り出される。当該出力電圧は、電源電圧ＶＡＣＣとして用いられる。電源電圧ＶＡＣＣは、駆動回路１４に供給される。当該出力電圧は、レギュレータＲＥＧに入力される。レギュレータＲＥＧは、当該出力電圧を降圧する。降圧された電圧は、電源電圧ＶＤＣＣとして用いられる。電源電圧ＶＤＣＣは、マイコン３０等に供給される。
【００８７】
なお、制御装置１５の変形例の一つとして、ＩＣパッケージの内部において、アナログ回路およびデジタル回路それぞれのグランド電極をＩＣパッケージの内部における共通のグランド配線（図示せず）に接続してもよい。この場合、グランド配線を短くすることができる。
【００８８】
他の変形例として、アナログ回路のグランド電極をＩＣパッケージの内部の第１グランド配線（図示せず）に接続し、デジタル回路のグランド電極をＩＣパッケージの内部において第１グランド配線と電気的に接続していない第２グランド配線（図示せず）に接続してもよい。この場合、駆動回路１４等の動作がマイコン３０の動作に影響しないようにすることができる。
【００８９】
なお、マイコン３０に代えて、デジタル信号処理装置（Ｄｉｇｉｔａｌ  Ｓｉｇｎａｌ  Ｐｒｏｃｅｓｓｅｒ：ＤＳＰ）を制御装置１５の内部に収めてもよい。制御装置１５においては、マイコン３０またはＤＳＰ等の「デジタル演算回路」が点灯装置４の点灯制御に関する演算処理を行えばよい。
【００９０】
実施の形態２．
図６と図７とはこの発明の実施の形態２における点灯装置に対して異常が検出される際の制御装置の動作を説明するためのフローチャートである。なお、実施の形態１と同一又は相当部分には、同一符号が付される。当該部分の説明は省略される。
【００９１】
実施の形態１の制御装置１５は、異常が検出された際にバックコンバータ回路１１よりも先に昇圧チョッパ回路１０を停止させる。一方、実施の形態２の制御装置１５は、異常が検出された際に昇圧チョッパ回路１０よりも先にバックコンバータ回路１１を停止させる。
【００９２】
具体的には、ステップＳ２１では、制御装置１５は、昇圧チョッパ回路１０の異常電圧または異常電流を検出したか否かを判定する。
【００９３】
ステップＳ２１で制御装置１５が昇圧チョッパ回路１０の異常電圧または異常電流を検出していない場合は、ステップＳ２２に進む。ステップＳ２２では、制御装置１５は、バックコンバータ回路１１の異常電圧または異常電流を検出したか否かを判定する。
【００９４】
ステップＳ２２で制御装置１５がバックコンバータ回路１１の異常電圧または異常電流を検出していない場合は、ステップＳ２１に戻る。
【００９５】
ステップＳ２１で制御装置１５が昇圧チョッパ回路１０の異常電圧または異常電流を検出した場合は、ステップＳ２３に進む。ステップＳ２３では、制御装置１５は、バックコンバータ回路１１を停止させる。その後、ステップＳ２４に進む。ステップＳ２４では、制御装置１５は、異常判定を行う。
【００９６】
ステップＳ２４で正常と判定された場合は、ステップＳ２５に進む。ステップＳ２５では、制御装置１５は、リトライを実施する。具体的には、制御装置１５は、バックコンバータ回路１１を駆動する。その後、ステップＳ２６に進む。ステップＳ２６では、制御装置１５は、異常判定を行う。
【００９７】
ステップＳ２６で正常と判定された場合は、ステップＳ２７に進む。ステップＳ２７では、制御装置１５は、昇圧チョッパ回路１０が一時的に異常であったと判定する。この際、制御装置１５は、バックコンバータ回路１１の駆動を維持する。その結果、ＬＥＤ５の点灯状態が通常の点灯状態に復帰する。その後、動作が終了する。
【００９８】
ステップＳ２６で異常と判定された場合は、ステップＳ２８に進む。ステップＳ２８では、制御装置１５は、バックコンバータ回路１１の異常であると判定する。この際、制御装置１５は、昇圧チョッパ回路１０とバックコンバータ回路１１とを停止させる。その後、動作が終了する。
【００９９】
ステップＳ２４で異常と判定された場合は、ステップＳ２９に進む。ステップＳ２９では、制御装置１５は、昇圧チョッパ回路１０のみの異常であると判定する。この際、制御装置１５は、昇圧チョッパ回路１０を停止させる。その後、動作が終了する。
【０１００】
ステップＳ２２で制御装置１５がバックコンバータ回路１１の異常電圧または異常電流を検出した場合は、ステップＳ３０に進む。ステップＳ３０では、制御装置１５は、バックコンバータ回路１１を停止させる。その後、ステップＳ３１に進む。ステップＳ３１では、制御装置１５は、異常判定を行う。
【０１０１】
ステップＳ３１で正常と判定された場合は、ステップＳ３２に進む。ステップＳ３２では、制御装置１５は、リトライを実施する。具体的には、制御装置１５は、バックコンバータ回路１１を駆動する。その後、ステップＳ３３に進む。ステップＳ３３では、制御装置１５は、異常判定を行う。
【０１０２】
ステップＳ３３で正常と判定された場合は、ステップＳ３４に進む。ステップＳ３４では、制御装置１５は、バックコンバータ回路１１が一時的に異常であったと判定する。この際、制御装置１５は、バックコンバータ回路１１の駆動を維持する。その結果、ＬＥＤ５の点灯状態が通常の点灯状態に復帰する。その後、動作が終了する。
【０１０３】
ステップＳ３３で異常と判定された場合は、ステップＳ３５に進む。ステップＳ３５では、制御装置１５は、バックコンバータ回路１１のみの異常であると判定する。この際、制御装置１５は、昇圧チョッパ回路１０とバックコンバータ回路１１とを停止させる。その後、動作が終了する。
【０１０４】
ステップＳ３１で異常と判定された場合は、ステップＳ３６に進む。ステップＳ３６では、制御装置１５は、昇圧チョッパ回路１０の異常であると判定する。この際、制御装置１５は、昇圧チョッパ回路１０を停止させる。その後、動作が終了する。
【０１０５】
以上で説明した実施の形態２によれば、バックコンバータ回路１１を先に停止させた際の異常判定の結果に基づいて昇圧チョッパ回路１０またはバックコンバータ回路１１の異常が判定される。
【０１０６】
例えば、ステップＳ２７において、制御装置１５は、昇圧チョッパ回路１０が一時的に異常であったと判定する。この場合、ＬＥＤ５への電源供給を速やかに停止することでＬＥＤ５が破壊することを防止しつつ、ＬＥＤ５の点灯を速やかに復帰させることができる。
【０１０７】
例えば、ステップＳ２８において、制御装置１５は、バックコンバータ回路１１の異常であると判定する。この場合、ＬＥＤ５への電源供給を速やかに停止することでＬＥＤ５が破壊することを防止しつつ、バックコンバータ回路１１の異常を判定することができる。
【０１０８】
例えば、ステップＳ２９において、制御装置１５は、昇圧チョッパ回路１０のみの異常であると判定する。この場合、ＬＥＤ５への電源供給を速やかに停止することでＬＥＤ５が破壊することを防止しつつ、昇圧チョッパ回路１０の異常を判定することができる。
【０１０９】
例えば、ステップＳ３４において、制御装置１５は、バックコンバータ回路１１が一時的に異常であったと判定する。この場合、異常部分を速やかに停止させつつ、ＬＥＤ５の点灯を速やかに復帰させることができる。
【０１１０】
例えば、ステップＳ３５において、制御装置１５は、バックコンバータ回路１１のみの異常であると判定する。この場合、異常部分を速やかに停止させつつ、バックコンバータ回路１１の異常を判定することができる。
【０１１１】
例えば、ステップＳ３６において、制御装置１５は、昇圧チョッパ回路１０の異常であると判定する。この場合、異常部分を速やかに停止させつつ、昇圧チョッパ回路１０の異常を判定することができる。
【０１１２】
なお、ステップＳ２８とステップＳ２９とステップＳ３５とステップＳ３６とにおいて、昇圧チョッパ回路１０とバックコンバータ回路１１とを保護動作させてもよい。例えば、昇圧チョッパ回路１０とバックコンバータ回路１１との動作が予め設定された範囲内で収まるようにしてもよい。この場合、ＬＥＤ５の点灯を維持することができる。
【０１１３】
なお、ステップＳ２８とステップＳ２９とステップＳ３５とステップＳ３６とにおいて、昇圧チョッパ回路１０とバックコンバータ回路１１とを保護動作させてもよい。例えば、昇圧チョッパ回路１０とバックコンバータ回路１１との動作が予め設定された範囲内で収まるようにしてもよい。この場合、ＬＥＤ５の点灯を維持することができる。
【０１１４】
また、実施の形態１および実施の形態２において、昇圧チョッパ回路１０とバックコンバータ回路１１との両方の異常が検出された場合は、どちらか一方の異常を優先させて、各種動作を行えばよい。
【０１１５】
また、ステップＳ５とステップＳ１２とステップＳ２５とステップＳ３２とにおけるリトライを省略し、異常判定と停止動作または保護動作とを行ってもよい。また、複数回のリトライを実施してもよい。
【０１１６】
また、昇圧チョッパ回路１０またはバックコンバータ回路１１の異常が判定された際は、制御装置１５のメモリ等に異常状態を示す情報を記憶させてもよい。
【０１１７】
図８は、この発明の実施の形態１、２において利用可能な異常電圧または異常電流の判定基準の一例を示すタイムチャートである。図８では、所定時間、所定の電圧範囲に電圧値が収まった場合または所定の電流範囲に電流値が収まった場合に、異常が発生していると判定する、という技術を例示したものである。図８には、判定上限スレショルド値ｔｈｒ２および判定下限スレショルド値ｔｈｒ１とが図示されている。ｔｈｒ１〜ｔｈｒ２のスレショルド範囲は、昇圧チョッパ回路１０あるいはバックコンバータ回路１１の停止後に本来示すべきではない電圧値または電流値を検出するために、予め実験あるいは数値シミュレーション等を行うことで、予め設定されている。ｔｈｒ１〜ｔｈｒ２のスレショルド範囲は、予めマイコン３０の内蔵メモリに記憶されている。昇圧チョッパ回路１０とバックコンバータ回路１１のうち一方の回路の停止時Ｔ１から、検出した電圧値（または電流値）が低下した後、予め定めた所定時間ＴＡの経過時Ｔ２においてもなお図８のｔｈｒ１〜ｔｈｒ２のスレショルド範囲内に収まり続けている場合には、異常が発生していると結論づけてもよい。停止時Ｔ１は、具体的には、図２のフローチャートのステップＳ３で昇圧チョッパ回路１０を停止した時点、あるいは図６のフローチャートのステップＳ２３でバックコンバータ回路１１を停止した時点とすることができる。
【符号の説明】
【０１１８】
１  照明器具、  ２  交流電源、  ３  光源モジュール、  ４  点灯装置、  ５  ＬＥＤ、  ６  整流回路、  ７  コンデンサ、  ８  抵抗、  ９  抵抗、  １０  昇圧チョッパ回路、  １１  バックコンバータ回路、  １２  ランプ接続検出回路、  １３  制御電源回路、  １４  駆動回路、  １５  制御装置、  １６  インダクタ、  １７  ダイオード、  １８  コンデンサ、  １９  抵抗、  ２０  抵抗、  ２１  ダイオード、  ２２  インダクタ、  ２３  コンデンサ、  ２４  検出抵抗、  ２５  抵抗、  ２６  抵抗、  ２７  デジタルインターフェース回路、  ２８  調光器、  ２９  Ａ／Ｄ変換回路、  ３０  マイコン、  ３１  受動回路部、  ３２  制御電源ＩＣ
【図１】
0006724337.tif 000002
【図２】
0006724337.tif 000003
【図３】
0006724337.tif 000004
【図４】
0006724337.tif 000005
【図５】
0006724337.tif 000006
【図６】
0006724337.tif 000007
【図７】
0006724337.tif 000008
【図８】
0006724337.tif 000009